(57)【特許請求の範囲】
【請求項１】
臭化リチュウムの水溶液を加熱して、冷媒である水の蒸気を発生させる高温再生器と、
上記高温再生器で発生した高温の水蒸気を熱源として、蒸気臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を、「前記高温，低温再生器で生成された濃厚な臭化リチュウム水溶液」に吸収させることにより、前記の蒸発器に連通されている器内を減圧して、該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備している吸収冷温水機を、既設の建屋内もしくは建屋の屋上に新設する方法において、
上記新設吸収冷温水機の定格冷房能力をＳ（単位ＲＴ）とし、
冷房能力０．５ＳＲＴに相当する低温再生器と、冷房能力０．５ＳＲＴに相当する凝縮器とが一体的に結合された低温再生器・凝縮器ブロックの２組を構成するとともに、
冷房能力が０．５ＳＲＴに相当する蒸発器と、冷房能力０．５ＳＲＴに相当する吸収器とが一体的に結合された蒸発器・吸収器ブロックの２組を構成し、
上記の合計４組のブロック機器のそれぞれを製造し、既設建屋に搬入して、冷房能力ほぼＳＲＴの１個の高温再生器と配管接続して、１基の吸収冷温水機を構成し、
かつ、前記の一体に結合された２組の低温再生器・凝縮器ブロックのそれぞれに設けられている臭化リチュウム稀薄水溶液流入管路を相互に配管接続するとともに、接続された臭化リチュウム稀薄水溶液流入管路を、前記熱交換器に設けられている被加熱側流体の流路に対して分岐連通するように配管接続し、
上記の一体に結合された２組の低温再生器・凝縮器ブロックのそれぞれに設けられている臭化リチュウム濃厚水溶液流出管路を相互に配管接続するとともに、接続された臭化リチュウム濃厚水溶液流出管路を、前記熱交換器に設けられている被加熱側流体の流路に対して合流連通するように配管接続し、
さらに、前記一体に結合された２組の低温再生器・凝縮器ブロックのそれぞれに設けられている液状の水の流出管路を相互に配管接続するとともに、接続された液状水流出管路を蒸発器の液状水流入口に対して配管接続することを特徴とする、既設建屋に吸収冷温水機を構築する方法。
【請求項２】
前記一体に結合された２組の蒸発器・吸収器ブロックのそれぞれに設けられている臭化リチュウム濃厚水溶液送入管路を相互に配管接続するとともに、接続された臭化リチュウム濃厚水溶液送入管路を、前記熱交換機の加熱側流体の流出口に配管接続し、
かつ、前記一体に結合された２組の蒸発器・吸収器ブロックのそれぞれに設けられている臭化リチュウム稀薄水溶液流出管路を相互に配管接続するとともに、接続された臭化リチュウム稀薄水溶液流出管路を、前記熱交換機の被加熱側流体の流入口に配管接続することを特徴とする、請求項１に記載した既設建屋に吸収冷温水機を構築する方法。
【請求項３】
臭化リチュウムの水溶液を加熱して、冷媒である水の蒸気を発生させる高温再生器と、
上記高温再生器で発生した高温の水蒸気を熱源として、蒸気臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を、「前記高温，低温再生器で生成された濃厚な臭化リチュウム水溶液」に吸収させることにより、前記の蒸発器に連通されている器内を減圧して、該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備している吸収冷温水機を、既設の建屋内もしくは建屋の屋上に新設する方法において、
上記新設吸収冷温水機の定格冷房能力をＳ（単位ＲＴ）とし、
冷房能力の合計がＳＲＴに相当する複数個の低温再生器のそれぞれに対して、相互にほぼ等しい冷房能力に相当する複数個の凝縮器を一体的に結合することにより、冷房能力の合計がＳＲＴに相当する複数個の低温再生器・凝縮器ブロックを構成するとともに、
冷房能力の合計がＳＲＴに相当する複数個の蒸発器のそれぞれに対して、相互にほぼ等しい冷房能力に相当する複数個の吸収器を一体的に結合することにより、冷房能力の合計がＳＲＴに相当する複数組の蒸発器・吸収器ブロックを構成し、
上記複数組の低温再生器・凝縮器ブロック、および複数組の蒸発器・吸収器ブロックのそれぞれを製造した後、ブロックごとに既設建屋内もしくは建屋の屋上に搬入して設置し、相互に配管接続して定格冷房能力ＳＲＴの吸収冷温水機を構築し、
かつ、前記の一体に結合された２組の低温再生器・凝縮器ブロックのそれぞれに設けられている臭化リチュウム稀薄水溶液流入管路を相互に配管接続するとともに、接続された臭化リチュウム稀薄水溶液流入管路を、前記熱交換器に設けられている被加熱側流体の流路に対して分岐連通するように配管接続し、
上記の一体に結合された２組の低温再生器・凝縮器ブロックのそれぞれに設けられている臭化リチュウム濃厚水溶液流出管路を相互に配管接続するとともに、接続された臭化リチュウム濃厚水溶液流出管路を、前記熱交換器に設けられている被加熱側流体の流路に対して合流連通するように配管接続し、
さらに、前記一体に結合された２組の低温再生器・凝縮器ブロックのそれぞれに設けられている液状の水の流出管路を相互に配管接続するとともに、接続された液状水流出管路を蒸発器の液状水流入口に対して配管接続することを特徴とする、既設建屋に吸収冷温水機を構築する方法。
【請求項４】
前記複数組の低温再生器・凝縮器ブロックを相互に並列に配管接続するとともに、前記複数組の蒸発器・吸収器ブロックを相互に並列に配管接続し、
冷房能力が約ＳＲＴの高温再生器、および冷房能力が約ＳＲＴの熱交換器に対して、
前記の並列接続された低温再生器・凝縮器ブロック群、および、並列接続された蒸発器・吸収器ブロック群を配管接続することにより、冷房能力ＳＲＴの吸収冷温水機を構成することを特徴とする、請求項３に記載した既設建屋に吸収冷温水機を構築する方法。
【請求項５】
前記の高温再生器は、前記既設の建屋が建造された時に設置されて、本発明を実施する時までの間に稼働した経歴を有する機器を母体として用いるものとし、
該高温再生器がバーナー加熱方式である場合は、バーナー、および、火炎に接触する部材を補修もしくは交換して、該高温再生器の本体ケーシング部材を廃却することなく継続使用することを特徴とする、請求項１ないし請求項４の何れかに記載した既設建屋に吸収冷温水機を構築する方法。
【請求項６】
建屋の中、もしくは建屋の屋上に設置された吸収冷温水機であって、
臭化リチュウムの水溶液を加熱して、冷媒である水の蒸気を発錆させる高温再生器と、
上記高温再生器で発生した高温の水蒸気を熱源として上記臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を「前記高温，低温再生器で生成された濃厚な臭化リチュウム水溶液」に吸収させることにより、前記の蒸発器に連通されている器内を減圧して、
該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備して成り、定格冷房能力がＳＲＴである臭化リチュウム吸収冷温水機において、
冷房能力０．５ＳＲＴに相当する低温再生器と、冷房能力０．５ＳＲＴに相当刷る凝縮器とを一体的に結合された低温再生器・凝縮器ブロックが、２組設置されるとともに、
冷房能力０．５ＳＲＴに相当する蒸発器と、冷房能力０．５ＳＲＴに相当する吸収器とを一体的に結合された蒸発器・吸収器ブロックが、２組設置されており、
かつ、前記の一体に結合された複数組の低温再生器・凝縮器ブロックのそれぞれに設けられている臭化リチュウム稀薄水溶液流入管路が相互に配管接続されるとともに、接続された臭化リチュウム稀薄水溶液流入管路が、前記熱交換器に設けられている被加熱側流体の流路に対して分岐連通するように配管接続されており、
かつ、該一体に結合された複数組の低温再生器・凝縮器ブロックのそれぞれに設けられている臭化リチュウム濃厚水溶液流出管路が相互に配管接続されるとともに、接続された臭化リチュウム濃厚水溶液流出管路が、前記熱交換器に設けられている加熱側流体の流路に対して合流連通するように配管接続されており、
さらに、前記一体に連結された複数組の低温再生器・凝縮器ブロックのそれぞれに設けられている液状の水の流出管路が相互に配管接続されるとともに、接続された液状水流出管路を蒸発器の液状水流入口に対して配管接続されていることを特徴とする、建屋内に構築された吸収冷温水機。
【請求項７】
建屋の中、もしくは建屋の屋上に設置された吸収冷温水機であって、
臭化リチュウムの水溶液を加熱して、冷媒である水の蒸気を発錆させる高温再生器と、
上記高温再生器で発生した高温の水蒸気を熱源として上記臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を「前記高温，低温再生器で生成された濃厚な臭化リチュウム水溶液」に吸収させることにより、前記の蒸発器に連通されている器内を減圧して、
該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備して成り、定格冷房能力がＳＲＴである臭化リチュウム吸収冷温水機において、
冷房能力の合計がＳＲＴに相当する複数個の低温再生器と、冷房能力の合計がＳＲＴに相当する複数個の凝縮器とを、相互に一体的に結合されて成る複数組の低温再生器・凝縮器ブロックが、低温再生器・凝縮器ブロック群を形成して設置されているとともに、
冷房能力の合計がＳＲＴに相当する複数個の蒸発器と、冷房能力の合計がＳＲＴに相当する複数個の吸収器とを、相互に一体的に結合されて成る複数組の蒸発器・吸収器ブロックが、蒸発器・吸収器ブロック群を形成して設置されており、
かつ、前記の一体に結合された複数組の低温再生器・凝縮器ブロックのそれぞれに設けられている臭化リチュウム稀薄水溶液流入管路が相互に配管接続されるとともに、接続された臭化リチュウム稀薄水溶液流入管路が、前記熱交換器に設けられている被加熱側流体の流路に対して分岐連通するように配管接続されており、
かつ、該一体に結合された複数組の低温再生器・凝縮器ブロックのそれぞれに設けられている臭化リチュウム濃厚水溶液流出管路が相互に配管接続されるとともに、接続された臭化リチュウム濃厚水溶液流出管路が、前記熱交換器に設けられている加熱側流体の流路に対して合流連通するように配管接続されており、
さらに、前記一体に連結された複数組の低温再生器・凝縮器ブロックのそれぞれに設けられている液状の水の流出管路が相互に配管接続されるとともに、接続された液状水流出管路を蒸発器の液状水流入口に対して配管接続されていることを特徴とする、建屋内に構築された吸収冷温水機。
【請求項８】
前記一体に結合された複数組の蒸発器・吸収器ブロックのそれぞれに設けられている臭化リチュウム濃厚水溶液送入管路が相互に配管接続されるとともに、接続された臭化リチュウム濃厚水溶液送入管路が、前記熱交換器の加熱側流体の流出口に配管接続されており、
かつ、前記一体に結合された複数組の蒸発器・吸収器ブロックのそれぞれに設けられている臭化リチュウム稀薄水溶液流出管路が相互に接続されるとともに、接続された臭化リチュウム稀薄水溶液流出管路が、前記熱交換器の被加熱側流体の流入口に配管接続されていることを特徴とする、請求項６または請求項７に記載した建屋内に構築された吸収冷温水機。
【請求項９】
前記の高温再生器、および／または、熱交換器が、１個で冷房能力ＳＲＴに相当する容量を有していて、その設置個数はそれぞれ１個であり、
かつ、これらの高温再生器、および／または、熱交換器の稼働経歴が、「前記の低温再生器・凝縮器ブロックおよび蒸発器・吸収器ブロック」の稼働経歴よりも古くて、
当該吸収冷温水機が設置されている建屋が構築されて以来の歴日経過年月と、前記高温再生器が設置されて以来の歴日経過年月とに著しい差が無いことを特徴とする、請求項６ないし請求項８の何れかに記載した建屋内に構築された吸収冷温水機。
【発明の詳細な説明】
【０００１】
【発明の属する技術分野】
本発明は臭化リチュウム吸収冷温水機に係り、特に、既設の建屋中に構築するに適した吸収冷温水機に関するものである。
【０００２】
【従来の技術】
臭化リチュウム吸収冷温水機は、水を冷媒とし、臭化リチュウムを吸収剤として用いた熱サイクル機器であって、主として水の蒸発気化・凝縮液化に伴う潜熱の吸収，発生を利用して、冷，暖房その他に利用される。
同一の機械設備を用いて、熱搬送媒体の流路を切り替えることによって冷房機能を発揮させたり、暖房機能を発揮させたりすることができる。
本発明は、冷・暖両用に構成された冷温水機を適用の対象とするが、暖房機能を利用せずに専ら冷房用として設計，製作された機器であっても、本発明の技術的範囲に属するものである。
臭化リチュウム吸収冷温水機は、主要な構成機器や配管，配線を改善することなく、熱搬送媒体（液体，気体の水，および臭化リチュウム水溶液）の流路を弁手段で切り換えることによって冷，暖の切替運転が可能である。
従って、臭化リチュウム吸収冷温水機を構築する工事においては、当該機器が冷房用の作用をするか暖房用の作用をするかの区分は、あまり意識されることが無い。
そこで本発明において、吸収冷温水機の各構成機器の作用については、主として冷房作動時の作用を述べることとする。例えば次のごとくである。
吸収式冷温水機が冷房（冷却）用として作動するときは、冷水を更に冷却して冷熱負荷機器に循環送給し、該冷熱負荷機器で熱を奪って戻ってきた冷水を、再び更に冷却して送給し、以後、連続的にこれを繰り返す。
また、吸収式冷温水機が暖房（加熱）用として作動するときは、温水を更に加熱して熱負荷機器に循環送給する。ここに、上記温水の流路（特に、吸収冷温水機内で通過せしめられる伝熱管）は、前記の冷房作用におけると同一の機器である。上記熱負荷機器から戻ってきた温水は、更に加熱して再び前記熱負荷機器に向けて送出する。
こうした作用に鑑みて、吸収冷温水機における前記の冷水と温水とは、これをひと纏めにして「冷温水」と呼ばれる。ただし、本発明においては上記の冷温水が冷却される機能を主として説明し、紛らわしくない場合にはこれを「冷水」と略称する。なお、「冷水」と別に「冷却水」という語も使用する。これは、例えばクーリングタワーなどで常に冷却され（暖房時には使用されない）、冷媒である水の蒸気から液化潜熱を奪って凝縮させたり、臭化リチュウムによる水の吸収熱を奪うなど、専ら冷却の役目を担っている。
【０００３】
図２は、臭化リチュウム吸収冷温水機の従来例を示す模式的な配管系統図であって、２個の冷温切換弁が閉塞されて冷房（冷却）作用を果たしている状態を表しており、液状の水（冷媒液）には平行斜線を付し、臭化リチュウム濃厚水溶液にはクロスハッチング（格子縞模様）を付し、臭化リチュウム稀薄水溶液には斑点を付してある。
高温再生器１は加熱源を備えていて、臭化リチュウム水溶液を加熱し、水蒸気を発生させる。本例では、上記の加熱源としてバーナー１ａが設けられているが、バーナーに代えて蒸気管（過熱蒸気を流通させる伝熱管）を設けたものも有る。純粋に冷暖房機能の理屈だけを考えれば電気ヒーターであっても良いのであるが、実際問題としてはエネルギーコストの関係から電気ヒーターで加熱する方式は採られていない。
前述のようにして水蒸気を発生させた臭化リチュウム水溶液は、煮詰められて濃厚な臭化リチュウム水溶液となる。
これから先の作用は、二つのサイクルに区分して考えることができる。すなわち、発生した水蒸気が凝縮・液化され、減圧・蒸発せしめられ、この時に蒸発熱を奪って冷房（冷却）作用の核心部分を遂行する。この作用については以下に詳しく述べるが、この水（冷媒）の蒸発→凝縮→蒸発だけでは冷房サイクルが回らない。その理由は、高温再生器１の中で煮詰められた濃厚な臭化リチュウム水溶液は、それ以上加熱を続けても水蒸気を発生できなくなってしまうからである。このため、濃縮された臭化リチュウム水溶液に、再び水分を含ませて「加熱によって水蒸気を発生せしめ得る状態」に復元せしめるための、もう一つのサイクルを併行して進めなければならない。
【０００４】
先ず、高温再生器１で発生した冷媒蒸気（水蒸気）の行方を追ってみると、低温再生器２を経て（矢印ａ）、凝縮器３に流入する（矢印ｂ）。このとき、冷温切換弁Ｖ１が閉じられているので、蒸発器４には流入しない。
上記の低温再生器２は、当該吸収冷温水機の熱効率を高めるために設けられたもので、その作用の詳細については後に述べる。
前記凝縮器３の中には伝熱管１１が設けられて、冷却水が矢印ｃ，ｄのように流通している。この伝熱管１１に接触した水蒸気は液化潜熱を奪われて凝縮液化し、液状の水が凝縮器３の底部に溜まる。
凝縮器３の底部に溜まった水は、蒸発器４の頂部に流入して（矢印ｅ）スプレーされる。この蒸発器４内は、次に述べる吸収器８の作用で減圧されているので蒸発気化して水蒸気となる。蒸発し切れずに蒸発器４の底部に溜まった水（平行斜線）は、冷媒ポンプ７で汲み上げられて該蒸発器４内の頂部空間にスプレーされて蒸発せしめられる。
上記の蒸発器４内には伝熱管１２が設けられていて、この伝熱管１２の中に、冷熱負荷（図外）からの戻り冷温水（この場合は冷水）５が流通している。この冷水は、蒸発した水蒸気に気化潜熱を奪われて冷却され、いっそう低温の冷水６として図外の冷熱負荷に送給される。
上述のようにして冷水を冷却するという核心部分の作用を果たした冷媒（水）は、矢印ｆのように吸収器８に流動し、ここで臭化リチュウムに吸収され、水蒸気としての姿を消す。
【０００５】
一方、高温再生器１で冷媒蒸気（水蒸気）を発生させて煮詰められた濃厚な臭化リチュウム水溶液（クロスハッチング・格子縞模様）は、熱交換器１０を経て吸収器８に送給され、その頂部空間にスプレーされる（矢印ｇ）。
この臭化リチュウムは著しい潮解性（水蒸気を吸収する性質）を有していて、蒸発器４内で発生した水蒸気を吸収する。水蒸気の吸収によって吸収器８内が減圧されるので、蒸発器４内の水蒸気は矢印ｆ方向に流動せしめられ、これにより蒸発室４内が高真空状態（例えば相対気圧マイナス７６０ミリメートルＨｇ）となり、送入された冷媒（水）の蒸発が促進される。
このようにして、蒸発器４に連通された吸収器８内の水蒸気を臭化リチュウム濃厚水溶液で吸収して器内を減圧するということは、水を蒸発させて冷水を冷却するという核心的な作用を強力にバックアップしているのである。しかし、それだけではなく、水蒸気を吸収した臭化リチュウム濃厚水溶液（クロスハッチング）が、水を含んで稀釈され、臭化リチュウム稀薄水溶液（斑点）に戻るということ、すなわち「加熱されたら水蒸気を発生せしめ得る状態」に復元されることの意義も大きい。
以上に述べたように、冷媒である水が「液状水→水蒸気→液状水→水蒸気」のごとく変化してゆくサイクルと、臭化リチュウム水溶液が「濃厚水溶液→稀薄水溶液→濃厚水溶液→稀薄水溶液」のごとく変化してゆくサイクルとの二つのサイクルが相互にリンクして繰り返されることによって冷房（冷却）機能が発揮される。
【０００６】
上記の主要な二つのサイクルに付属するものとして、熱効率向上のために設けられた次のサブサイクルが有る。すなわち、
熱交換器１０において、蛇行管状に描かれている伝熱管内は被加熱側流体の流路であり、伝熱管外は加熱側流体の流路である。前記高温再生器１内で、バーナー１ａで加熱されて生成された臭化リチュウム濃厚水溶液は高温であるから、加熱側流体として利用される。そして、前述したように吸収器８内で生成された臭化リチュウム稀薄水溶液（斑点）は、伝熱管１３内の冷却水で吸収熱を奪われて降温しているが、これからもう一度加熱されて水蒸気を発生しなければならない段階であるから、前記熱交換器１０の伝熱管内に導かれて予熱される。
上述のごとく熱交換器１０の伝熱管内を流動する臭化リチュウム稀薄水溶液の流路が分岐せしめられ、全流路を流通した臭化リチュウム稀薄水溶液は高温再生器１に送給（矢印ｈ）され、途中で分岐した臭化リチュウム稀薄水溶液は低温再生器２に送給（矢印ｉ）される。
上記低温再生器２の伝熱管１４には、高温再生器１で発生した高温の水蒸気が流通しているので、矢印ｉのように送入された臭化リチュウム稀薄水溶液は加熱を受けて冷媒蒸気（水蒸気）を発生させる。発生した水蒸気は矢印ｊのごとく凝縮器３の中に流動し、高温再生器１で発生した水蒸気（矢印ｂ）と合流して凝縮液化せしめられる（前述した水・水蒸気のメインサイクルに合流せしめられてリンクする）。
【０００７】
伝熱管１４内を流動する水蒸気が、前述のごとく、低温再生器２に送入された臭化リチュウム稀薄水溶液を加熱するので、該伝熱管１４内の高温の水蒸気は降温せしめられる。
この高温の水蒸気は、次の工程では凝縮器３内で冷却されて凝縮液化せしめられるべきものであるから、低温再生器２の伝熱管１４内で予め降温せしめられることは、熱経済の面からも、冷房能率向上の面からも好都合である。
図２について以上に説明した吸収冷温水機の冷房作用を、マクロに熱の流れとして見れば、高温のバーナー１ａと低温の冷却水（矢印ｃ，ｄ）との温度差によって、戻り冷温水５と送給冷温水６との間に温度差を発生させるものであると言うことができる。
【０００８】
上述の作用，効果から推察し得るごとく、水・水蒸気の循環流路と臭化リチュウム水溶液循環流路とがリンクされた熱搬送媒体循環流路は、大気から完全に遮断された密閉系を形成しなければならない。
上記のように気密性を完全ならしめるため、主要な構成機器は次に述べる四つのブロックに設計，製作されるとともに、相互に配管接続される。すなわち、
（イ）器内を相互に連通せしめて結合された、低温再生器２と凝縮器３。
（ロ）器内を相互に連通せしめて結合された、蒸発器４と吸収器８。
（ハ）加熱手段を備えた高温再生器１。
（ニ）臭化リチュウムの濃厚水溶液と同稀薄水溶液との熱交換器１０。
これら４個のブロックは相互に配管接続されるが、厳重な気密性を確保しなければならないので、一般に、継手部材を用いずに溶接加工によって配管を相互に接続される。パッキンやガスケットを用いた継手による配管接続が不可能だという訳ではないが、従来技術において気密性保持（通称・真空保持）に掛けられている執念の強さを感じさせる。
【０００９】
【発明が解決しようとする課題】
ビルの冷暖房用として臭化リチュウム吸収冷温水機を設置する場合は、多くの場合、地下室もしくは屋上に設けられる機械室の中に、前掲の図２に示された構成部分が設置される。具体的には、先に述べた４個のブロックを設置して、これらを配管接続して吸収冷温水機が構築される。
この場合、建屋の構築と吸収冷温水機の設置とは併行して施工され、厳密には吸収冷温水機の設置が若干先行する。すなわち、建屋が完工する以前に吸収冷温水機の構成機器類が設置される。従って、大形の重量機器の搬入も、クレーンを使用するなどして、格別の困難無く遂行される。
ところが、臭化リチュウム吸収冷温水機が設置された後、長期間（例えば十数年間）稼働すると、損耗が進行して更新を必要とするに至る。
更新を必要とする理由を具体的に考察すると、
α．伝熱管の腐食、
β．臭化リチュウム水溶液に接触する面の酸化生成物堆積による流路閉塞、
γ．同上による溶液循環系の流動不良、
δ．鋼製部材の腐食による減肉、
ε．伝熱管内面のスケール付着による伝熱性能の低下。
が挙げられるが、これらの損耗と表裏相対して、
往時に比して、最近の吸収冷温水機の性能向上も見逃せない。
そこで、既設の吸収冷温水機を更新しようとした場合、専門の生産工場で製造された吸収冷温水機の構成機器類を、既設の建屋の機械室もしくは屋上の機械置場に搬入することができないという問題に直面する。
【００１０】
すなわち、図２に示されている形態から配管部材を取り除いた状態に、各構成機器類をブロックに分割しても、分割されたブロックの大半は既設建屋の出入口や、エレベーターや、階段を通過できない。この場合、エレベータのゲージに入らないことが最大の難関となる。
国内規格のエレベータについて、定員人数とケージ内法寸法（単位ミリメートル）との関係を概観すると、
定員    出入口幅    天井高さ    最大奥行
１１      ８００    ２１００    １４３０
１５      ９００    ２１００    １５８０
これに比して、吸収冷温水機を構成している各ブロック機器の寸法規格は確定していないが、上記のエレベータ内容積に比較すると、冷房能力３００ＲＴクラス以上の吸収冷温水機は、これをブロック別に分割してもエレベータに入れることができない。
やむを得ず既設建屋の壁や床を破って吸収冷温水機のブロック機器を搬入すると、破壊と修復に多大の費用を要し、工期が長くなる。その上、工事期間中に当該建屋の居住者に多大の迷惑を与える。
該建屋がオフィスビルであったり、製造工場であったりする場合、工事期間中は建屋使用者の業務を中断しなければならないので、経済的損失が少なくない。
それにも増して、該建屋が集合住宅である場合、居住者が受ける迷惑は計り知れない。
【００１１】
本発明は上述の事情に鑑みて為されたものであって、ブロック機器に分割してもエレベータに入り切らない大きさの冷房能力を有する臭化リチュウム吸収冷温水機について、その作動原理を変更することなく、ブロック構成と配管接続の方式を改良して、エレベータによる建屋内搬入を可能ならしめることを目的とするものである。
これにより、長期間稼働した吸収冷温水機の更新における付帯工事費用（搬入関係費用）が大幅に節減されるとともに、工期の短縮を期待することができる。なお、既設の吸収冷温水機（老朽機）の搬出については、溶断分割を自由に適用できるから、エレベータ使用が容易に可能である。
【００１２】
【課題を解決するための手段】
上記の目的を達成するために創作した本発明の基本的原理について、その実施形態に対応する図１を参照して略述すると次のとおりである。すなわち、臭化リチュウム吸収冷温水機のブロック構成を改良して、エレベータのケージに入れ得る形状寸法のブロック機器に分割することができ、かつ、各構成ブロック機器を迅速，容易に配管接続して臭化リチュウム吸収冷温水機を構築できるようにするため、構築すべき吸収冷温水機の定格冷房能力をＳ（単位：ＲＴ）とし、冷房能力が０．５Ｓ（ＲＴ）に相当する２組の低温再生器・凝縮器ブロック１５ａ，１５ｂを構成して、ブロック毎に搬入した後、並列に配管接続する。同様に、２組の蒸発器・吸収器ブロック１６ａ，１６ｂを構成・搬入・並列接続する。高温再生器１，熱交換器１０は、それぞれ冷房能力Ｓ（ＲＴ）の単一ブロックである。
【００１３】
以上に説明した原理に基づいて、請求項１に係る発明方法の構成は、臭化リチュウムの水溶液を加熱して、冷媒である水の蒸気を発生させる高温再生器と、
上記高温再生器で発生した高温の水蒸気を熱源として、蒸気臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を、「前記高温，低温再生器で生成された濃厚な臭化リチュウム水溶液」に吸収させることにより、前記の蒸発器に連通されている器内を減圧して、該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備している吸収冷温水機を、既設の建屋内もしくは建屋の屋上に新設する方法において、
上記新設吸収冷温水機の定格冷房能力をＳ（単位ＲＴ）とし、
冷房能力０．５ＳＲＴに相当する低温再生器と、冷房能力０．５ＳＲＴに相当する凝縮器とが一体的に結合された低温再生器・凝縮器ブロックの２組を構成するとともに、
冷房能力が０．５ＳＲＴに相当する蒸発器と、冷房能力０．５ＳＲＴに相当する吸収器とが一体的に結合された蒸発器・吸収器ブロックの２組を構成し、
上記の合計４組のブロック機器のそれぞれを製造し、既設建屋に搬入して、冷房能力ほぼＳＲＴの１個の高温再生器と配管接続し、
かつ、前記の一体に結合された２組の低温再生器・凝縮器ブロックのそれぞれに設けられている臭化リチュウム稀薄水溶液流入管路を相互に配管接続するとともに、接続された臭化リチュウム稀薄水溶液流入管路を、前記熱交換器に設けられている被加熱側流体の流路に対して分岐連通するように配管接続し、
上記の一体に結合された２組の低温再生器・凝縮器ブロックのそれぞれに設けられている臭化リチュウム濃厚水溶液流出管路を相互に配管接続するとともに、接続された臭化リチュウム濃厚水溶液流出管路を、前記熱交換器に設けられている被加熱側流体の流路に対して合流連通するように配管接続し、
さらに、前記一体に結合された２組の低温再生器・凝縮器ブロックのそれぞれに設けられている液状の水の流出管路を相互に配管接続するとともに、接続された液状水流出管路を蒸発器の液状水流入口に対して配管接続することを特徴とする。
以上に説明した請求項１の発明方法によると、エレベータのケージ内に収納することが困難な大形のブロック機器をそれぞれ２分割したので、１個のブロック機器は０．５ＳＲＴの冷房能力に相当する形状寸法であってエレベータケージに収納することが可能であり、かつ、２分割されたブロック機器を並列に配管接続すると、冷房能力ＳＲＴのブロック機器として機能する。
大形のブロック機器を単に２分割して搬送，設置するというだけであれば、各種の設備機械一般に広く用いられている公知の技術であり、何の機器を何のように分割するかは設計的配慮の域を出ないのであるが、本請求項の発明においては、高度の気密性を要求される密閉循環系の中において、「水の蒸発・凝縮サイクルと、臭化リチュウム水溶液の濃縮・稀釈サイクルとがリンクされた、複合的な吸収冷却サイクル」に、更に低温再生器と熱交換器とによる廃熱利用が図られている臭化リチュウム吸収冷温水機という特殊な条件の下において、相互に連携して協働する６種類の主要構成機器（高温再生器・低温再生器・凝縮器・蒸発器・吸収器・熱交換器）について、熱力学理論的にではなく実用技術的に考究し、多年の経験と試験研究により蓄積された知見に基づいて、「分割し得べき機器」と「分割すべからざる機器」とに区分したところに、発明としての新規性と進歩性とを有している。
すなわち（図２参照）例えば蒸発器４と吸収器８との関係は、水蒸気が矢印ｆのように流動し得るように連通され、しかも、器内が高真空に保たれるので、これら双方の機器は専門設備の整った製造工場で溶接一体構成しなければ、吸収冷温水機の設置現場で溶接できるものではない。
さらに、蒸発器４内では冷媒（水）のスプレーが行なわれ、吸収器８内では臭化リチュウム稀薄水溶液のスプレーが行なわれているので、双方の機器内で冷媒蒸気を矢印ｆのごとく流動させるについて、ミストの随伴を阻止するための手段（ミストセパレータ・図示省略）が設けられねばならない。これらの部材の設置については相互の位置関係が高精度に規制されなければならないので、本請求項においては「蒸発器４と吸収器８との一体的な結合関係」を崩すことなく、冷房能力が１／２に相当する２組の蒸発器・吸収器ブロックを構成した。
低温再生器２と凝縮器３とについても、上記と同様の不可分関係が有るので、冷房能力が１／２に相当する２組の低温再生器・凝縮器ブロックを構成した。
これにより、完全に整合されて作動する１基の臭化リチュウム吸収冷温水機を、その気密性に不安を招く恐れ無く、エレベータのケージ内に収納できる形状・寸法に、しかも、配管作業によって吸収冷却サイクルの密閉系を構成し得るように分割することができ、既設の建屋の壁や床を破壊することなく設置することを可能ならしめた。
さらに、本請求項１の発明方法によると、２組の「冷房能力０．５ＳＲＴの低温再生器・凝縮器ブロック」が、相互に並列に配管接続されて、１組の「冷房能力ＳＲＴの低温再生器・凝縮器ブロック」として機能せしめられる。
すなわち、吸収器で生成された臭化リチュウム稀薄水溶液が、熱交換器で予熱されて高温再生器に送給される流路の途中から分岐されて、さらに並列に２分されて２組の低温再生器・凝縮器ブロックそれぞれの低温再生器部分に送給されて濃縮されるように流路が形成される。
そして、それぞれの低温再生器で濃縮された臭化リチュウム濃厚水溶液が合流して吸収器へ送給されるように、流路が形成される。
さらに、それぞれの低温再生器・凝縮器ブロックの凝縮器部分で生成された液状の水（冷媒液）が合流して蒸発器に送給されるように、冷媒の循環流路が形成される。
これにより、冷房能力０．５ＳＲＴの２組の低温再生器・凝縮器ブロックが協働せしめられ、冷房能力ＳＲＴの１基の臭化リチュウム吸収冷温水機の構成機器として整合せしめられる。
【００１５】
請求項２に係る発明方法の構成は、前記請求項１の発明方法の構成要件に加えて、
前記一体に結合された２組の蒸発器・吸収器ブロックのそれぞれに設けられている臭化リチュウム濃厚水溶液送入管路を相互に配管接続するとともに、接続された臭化リチュウム濃厚水溶液送入管路を、前記熱交換機の加熱側流体の流出口に配管接続し、
かつ、前記一体に結合された２組の蒸発器・吸収器ブロックのそれぞれに設けられている臭化リチュウム稀薄水溶液流出管路を相互に配管接続するとともに、接続された臭化リチュウム稀薄水溶液流出管路を、前記熱交換機の被加熱側流体の流入口に配管接続することを特徴とする。
以上に説明した請求項２の発明方法によると、２組の「冷房能力０．５ＳＲＴの蒸発器
・吸収器ブロック」が、相互に並列に配管接続されて、１組の「冷房能力ＳＲＴの蒸発器・吸収器ブロック」として機能せしめられる。
すなわち、高温再生器および低温再生器で濃縮され、熱交換器で臭化リチュウム稀薄水溶液を予熱し終えた臭化リチュウム濃厚水溶液を、それぞれの蒸発器・吸収器ブロックの吸収器部分に分流せしめるように、流路が形成される。
そして、上記それぞれの蒸発器・吸収器ブロックの吸収器部分で生成された臭化リチュウム稀薄水溶液を合流せしめて、熱交換器を介して高温再生器および低温再生器へ送給せしめるように、流路が形成される。
これにより、冷房能力０．５ＳＲＴの２組の蒸発器・吸収器ブロックが協働せしめられ、冷房能力ＳＲＴの１基の臭化リチュウム吸収冷温水機の構成機器として整合せしめられる。
【００１６】
請求項３に係る発明方法の構成は、臭化リチュウムの水溶液を加熱して、冷媒である水の蒸気を発生させる高温再生器と、
上記高温再生器で発生した高温の水蒸気を熱源として、蒸気臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を、「前記高温，低温再生器で生成された濃厚な臭化リチュウム水溶液」に吸収させることにより、前記の蒸発器に連通されている器内を減圧して、該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備している吸収冷温水機を、既設の建屋内もしくは建屋の屋上に新設する方法において、
上記新設吸収冷温水機の定格冷房能力をＳ（単位ＲＴ）とし、
冷房能力の合計がＳＲＴに相当する複数個の低温再生器のそれぞれに対して、相互にほぼ等しい冷房能力に相当する複数個の凝縮器を一体的に結合することにより、冷房能力の合計がＳＲＴに相当する複数個の低温再生器・凝縮器ブロックを構成するとともに、
冷房能力の合計がＳＲＴに相当する複数個の蒸発器のそれぞれに対して、相互にほぼ等しい冷房能力に相当する複数個の吸収器を一体的に結合することにより、冷房能力の合計がＳＲＴに相当する複数組の蒸発器・吸収器ブロックを構成し、
上記複数組の低温再生器・凝縮器ブロック、および複数組の蒸発器・吸収器ブロックのそれぞれを製造した後、ブロックごとに既設建屋内もしくは建屋の屋上に搬入して設置し、相互に配管接続して定格冷房能力ＳＲＴの吸収冷温水機を構築し、
かつ、前記の一体に結合された２組の低温再生器・凝縮器ブロックのそれぞれに設けられている臭化リチュウム稀薄水溶液流入管路を相互に配管接続するとともに、接続された臭化リチュウム稀薄水溶液流入管路を、前記熱交換器に設けられている被加熱側流体の流路に対して分岐連通するように配管接続し、
上記の一体に結合された２組の低温再生器・凝縮器ブロックのそれぞれに設けられている臭化リチュウム濃厚水溶液流出管路を相互に配管接続するとともに、接続された臭化リチュウム濃厚水溶液流出管路を、前記熱交換器に設けられている被加熱側流体の流路に対して合流連通するように配管接続し、
さらに、前記一体に結合された２組の低温再生器・凝縮器ブロックのそれぞれに設けられている液状の水の流出管路を相互に配管接続するとともに、接続された液状水流出管路を蒸発器の液状水流入口に対して配管接続することを特徴とする。
以上に説明した請求項３の発明方法によると、エレベータのケージ内に収納して搬入することが困難な大形ブロック機器から成る吸収冷温水機であっても、これを任意適宜の複数個に分割して設置箇所に搬入することができる。
何個に分割するかの分割個数については施工設計的な配慮の範囲内で任意に設定することができる。しかしながら、本請求項の発明方法においては、低温再生器と凝縮器とが一体に連結されること、および、蒸発器と吸収器とが一体に連結されることを必須の要件とし、複数組の低温再生器・凝縮器ブロックを相互に配管接続するとともに、複数組の蒸発器・吸収器ブロックを相互に配管接続することにより、１基の吸収冷温水機の吸収冷却サイクル循環系の気密性を損ねる虞れ無く、エレベータを使用しての構成機器ブロック搬入を可能ならしめた。
さらに、本請求項３の発明方法においては、２組の「冷房能力０．５ＳＲＴの低温再生器・凝縮器ブロック」が、相互に並列に配管接続されて、１組の「冷房能力ＳＲＴの低温再生器・凝縮器ブロック」として機能せしめられる。
すなわち、吸収器で生成された臭化リチュウム稀薄水溶液が、熱交換器で予熱されて高温再生器に送給される流路の途中から分岐されて、さらに並列に２分されて２組の低温再生器・凝縮器ブロックそれぞれの低温再生器部分に送給されて濃縮されるように流路が形成される。
そして、それぞれの低温再生器で濃縮された臭化リチュウム濃厚水溶液が合流して吸収器へ送給されるように、流路が形成される。
さらに、それぞれの低温再生器・凝縮器ブロックの凝縮器部分で生成された液状の水（冷媒液）が合流して蒸発器に送給されるように、冷媒の循環流路が形成される。
これにより、冷房能力０．５ＳＲＴの２組の低温再生器・凝縮器ブロックが協働せしめられ、冷房能力ＳＲＴの１基の臭化リチュウム吸収冷温水機の構成機器として整合せしめられる。
【００１７】
請求項４の発明に係る構築方法の構成は、前記請求項３に係る発明方法の構成要件に加えて、前記複数組の低温再生器・凝縮器ブロックを相互に並列に配管接続するとともに、前記複数組の蒸発器・吸収器ブロックを相互に並列に配管接続し、
冷房能力が約ＳＲＴの高温再生器、および冷房能力が約ＳＲＴの熱交換器に対して、
前記の並列接続された低温再生器・凝縮器ブロック群、および、並列接続された蒸発器・吸収器ブロック群を配管接続することにより、冷房能力ＳＲＴの吸収冷温水機を構成することを特徴とする。
以上に説明した請求項４の発明方法によると、エレベータに収容し得るブロック機器の最大冷房能力に比して、２倍を超える大容量の吸収冷温水機を建屋内や建屋の屋上に構築することができ、しかも、構築された吸収冷温水機は各構成機器が１基の臭化リチュウム吸収冷温水機として整合されていて、連携作動によって冷暖房機能を発揮する。
本請求項４の発明方法は、建屋に設置すべき吸収冷温水機の冷房能力に比して、エレベータケージの内容積が比較的小さい場合に好適である。
【００１８】
請求項５に係る発明方法の構成は、前記請求項１ないし請求項４の発明方法の構成要件に加えて、前記の高温再生器は、前記既設の建屋が建造された時に設置されて、本発明を実施する時までの間に稼働した経歴を有する機器を母体として用いるものとし、
該高温再生器がバーナー加熱方式である場合は、バーナー、および、火炎に接触する部材を補修もしくは交換して、該高温再生器の本体ケーシング部材を廃却することなく継続使用することを特徴とする。
以上に説明した請求項５の発明方法によると、既設建屋内もしくは屋上に設置されていた臭化リチュウム吸収冷温水機を更新する場合、「低温再生器・凝縮器ブロック、および蒸発器・吸収器ブロックに比して損耗の進行の少ない高温再生器本体ケーシング部分」を再使用するので、設備更新のための機材費が節減される。その上、既設の高温再生器を廃棄しないので、産業廃棄物の減量という社会的要請に沿うことができる。
【００１９】
請求項６の発明の構成は、建屋の中、もしくは建屋の屋上に設置された吸収冷温水機であって、
臭化リチュウムの水溶液を加熱して、冷媒である水の蒸気を発錆させる高温再生器と、
上記高温再生器で発生した高温の水蒸気を熱源として上記臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を「前記高温，低温再生器で生成された濃厚な臭化リチュウム水溶液」に吸収させることにより、前記の蒸発器に連通されている器内を減圧して、
該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備して成り、定格冷房能力がＳＲＴである臭化リチュウム吸収冷温水機において、
冷房能力０．５ＳＲＴに相当する低温再生器と、冷房能力０．５ＳＲＴに相当刷る凝縮器とを一体的に結合された低温再生器・凝縮器ブロックが、２組設置されるとともに、
冷房能力０．５ＳＲＴに相当する蒸発器と、冷房能力０．５ＳＲＴに相当する吸収器とを一体的に結合された蒸発器・吸収器ブロックが、２組設置されており、
かつ、前記の一体に結合された複数組の低温再生器・凝縮器ブロックのそれぞれに設けられている臭化リチュウム稀薄水溶液流入管路が相互に配管接続されるとともに、接続された臭化リチュウム稀薄水溶液流入管路が、前記熱交換器に設けられている被加熱側流体の流路に対して分岐連通するように配管接続されており、
かつ、該一体に結合された複数組の低温再生器・凝縮器ブロックのそれぞれに設けられている臭化リチュウム濃厚水溶液流出管路が相互に配管接続されるとともに、接続された臭化リチュウム濃厚水溶液流出管路が、前記熱交換器に設けられている加熱側流体の流路に対して合流連通するように配管接続されており、
さらに、前記一体に連結された複数組の低温再生器・凝縮器ブロックのそれぞれに設けられている液状の水の流出管路が相互に配管接続されるとともに、接続された液状水流出管路を蒸発器の液状水流入口に対して配管接続されていることを特徴とする。
以上に説明した請求項６の発明によると、冷房能力ＳＲＴの吸収冷温水機の主要な構成ブロック機器が、冷房能力０．５ＳＲＴのブロック機器によって構成されているので、各構成ブロック機器を設置現場へ搬入する際、比較的小容量の搬送機械で足り、特に、エレベータに収容するとき好都合である。
しかも、各構成ブロック機器を配管接続して構成された吸収冷温水機の冷却サイクル密閉系の気密信頼性が高く、かつ、構築された吸収冷温水機を構築している各ブロック機器が、相互に、機能的にも容量的にも良く整合されていて、１基の臭化リチュウム吸収冷温水機として、完全な冷暖房性能を発揮せしめることができる。
さらに、本請求項の発明によると、複数組（２組、すなわち一対を含む）の低温再生器・凝縮器ブロックが相互に配管接続されて、１個の低温再生器・凝縮器ブロックと同様に機能し得る状態となり、当該臭化リチュウム吸収冷温水機全体として、各構成機器類の協働作用が整合される。
【００２０】
請求項７の発明の構成は、建屋の中、もしくは建屋の屋上に設置された吸収冷温水機であって、
臭化リチュウムの水溶液を加熱して、冷媒である水の蒸気を発錆させる高温再生器と、
上記高温再生器で発生した高温の水蒸気を熱源として上記臭化リチュウム水溶液の他の一部分を加熱して水蒸気を発生せしめるとともに、上記の熱源として用いた水蒸気を降温させる低温再生器と、
前記高温再生器および低温再生器で発生した水蒸気を冷却水で冷却して液化せしめる凝縮器と、
凝縮器で発生した液状の水を減圧して蒸発せしめることにより、冷水から蒸発熱を奪う蒸発器と、
上記蒸発器で発生した水蒸気を「前記高温，低温再生器で生成された濃厚な臭化リチュウム水溶液」に吸収させることにより、前記の蒸発器に連通されている器内を減圧して、
該蒸発器内における水の蒸発を促進する吸収器と、
上記の吸収器で生成された臭化リチュウムの稀薄水溶液を、「前記高温，低温再生器で生成された高温の濃厚な臭化リチュウム水溶液」によって加熱する熱交換器と、
を具備して成り、定格冷房能力がＳＲＴである臭化リチュウム吸収冷温水機において、
冷房能力の合計がＳＲＴに相当する複数個の低温再生器と、冷房能力の合計がＳＲＴに相当する複数個の凝縮器とを、相互に一体的に結合されて成る複数組の低温再生器・凝縮器ブロックが、低温再生器・凝縮器ブロック群を形成して設置されているとともに、
冷房能力の合計がＳＲＴに相当する複数個の蒸発器と、冷房能力の合計がＳＲＴに相当する複数個の吸収器とを、相互に一体的に結合されて成る複数組の蒸発器・吸収器ブロックが、蒸発器・吸収器ブロック群を形成して設置されており、
かつ、前記の一体に結合された複数組の低温再生器・凝縮器ブロックのそれぞれに設けられている臭化リチュウム稀薄水溶液流入管路が相互に配管接続されるとともに、接続された臭化リチュウム稀薄水溶液流入管路が、前記熱交換器に設けられている被加熱側流体の流路に対して分岐連通するように配管接続されており、
かつ、該一体に結合された複数組の低温再生器・凝縮器ブロックのそれぞれに設けられている臭化リチュウム濃厚水溶液流出管路が相互に配管接続されるとともに、接続された臭化リチュウム濃厚水溶液流出管路が、前記熱交換器に設けられている加熱側流体の流路に対して合流連通するように配管接続されており、
さらに、前記一体に連結された複数組の低温再生器・凝縮器ブロックのそれぞれに設けられている液状の水の流出管路が相互に配管接続されるとともに、接続された液状水流出管路を蒸発器の液状水流入口に対して配管接続されていることを特徴とする。
以上に説明した請求項７の発明によると、冷房能力ＳＲＴの吸収冷温水機を既設の建屋に設置する際、該既設建屋の出入口および通路、特にエレベータのケージが狭くて、前記冷房能力ＳＲＴの吸収冷温水機を構築するブロック機器を建屋内に搬入することが困難であって、冷房能力が０．５ＳＲＴに相当する吸収冷温水機のブロック機器すら搬入できない場合であっても、冷房能力の合計がＳＲＴに相当する任意複数個のブロック機器によって、冷房能力ＳＲＴの１基の臭化リチュウム吸収冷温水機を構築し得るので、搬入通路やエレベータケージが狭いという制約を回避することができる。
さらに、本請求項の発明によると、複数組（２組、すなわち一対を含む）の低温 再生器・凝縮器ブロックが相互に配管接続されて、１個の低温再生器・凝縮器ブロックと同様に機能し得る状態となり、当該臭化リチュウム吸収冷温水機全体として、各構成機器類の協働作用が整合される。
【００２２】
請求項８に係る発明の構成は、前記請求項６もしくは制球項７の発明の構成要件に加えて、前記一体に結合された複数組の蒸発器・吸収器ブロックのそれぞれに設けられている臭化リチュウム濃厚水溶液送入管路が相互に配管接続されるとともに、接続された臭化リチュウム濃厚水溶液送入管路が、前記熱交換器の加熱側流体の流出口に配管接続されており、
かつ、前記一体に結合された複数組の蒸発器・吸収器ブロックのそれぞれに設けられている臭化リチュウム稀薄水溶液流出管路が相互に接続されるとともに、接続された臭化リチュウム稀薄水溶液流出管路が、前記熱交換器の被加熱側流体の流入口に配管接続されていることを特徴とする。
以上に説明した請求項８の発明によると、複数組の蒸発器・吸収器ブロックが相当に配管接続されて、１個の蒸発器・吸収器ブロックと同様に機能せしめられる。
【００２３】
請求項９に係る発明の構成は、前記請求項６ないし請求項８のうちの何れかの構成要件に加えて、前記の高温再生器、および／または、熱交換器が、１個で冷房能力ＳＲＴに相当する容量を有していて、その設置個数はそれぞれ１個であり、
かつ、これらの高温再生器、および／または、熱交換器の稼働経歴が、「前記の低温再生器・凝縮器ブロックおよび蒸発器・吸収器ブロック」の稼働経歴よりも古くて、
当該吸収冷温水機が設置されている建屋が構築されて以来の歴日経過年月と、前記高温再生器が設置されて以来の歴日経過年月とに著しい差が無いことを特徴とする。
以上に説明した請求項９の発明によると、既設の吸収冷温水機の更新工事によって本発明に係る吸収冷温水機を構築するとき、上記既設の吸収冷温水機の高温再生器が廃却されること無く（要すれば補修を施して）継続使用されるので、更新用機材コストが節減され、かつ、既設高温再生器を廃棄しないので産業廃棄物の減量に貢献することができる。
【００２４】
【発明の実施の形態】
図１は、本発明を適用して構成した臭化リチュウム吸収冷温水機の１実施形態における配管系統図である。
本実施形態における吸収冷温水機の冷房能力の定格値をＳ（単位ＲＴ）とする。この値Ｓは、説明の便宜上の値であって、特定の数値ではない。
本例の吸収冷温水機（図１）は、既設の建屋に設置されて稼働していた吸収冷温水機（既設機と略称する）が老朽したので、既設機の高温再生器１および熱交換器１０を残置して継続使用することとし、その他の構成機器および配管を新設して更新したものである。前記高温再生器１は、その内面、および、バーナー１ａの火炎の接触を受ける部材を補修（部分的交換を含む）した。
１対の低温再生器・凝縮器ブロック（甲）１５ａ、および同（乙）１５ｂが設けられている。これらは前記の更新に際して新設した機器（新設機器と略称する）である。
低温再生器（甲）２ａと凝縮器（甲）３ａとは、それぞれ冷房能力０．５ＳＲＴに相当する容量を有し、相互に一体的に結合されて、冷房能力０．５ＳＲＴに相当する低温再生器・凝縮器ブロック（甲）１５ａを形成している。ブロック（乙）１５ｂも同様の構成である。これらのブロック機器は、冷房能力０．５ＳＲＴに相当する容量の機器であって、冷房能力ＳＲＴの低温再生器・凝縮器ブロックに比して小形軽量であるから、既設建屋への搬入が容易である。
一方、冷房能力０．５ＳＲＴの蒸発器（甲）４ａおよび同（乙）４ｂのそれぞれが、冷房能力０．５ＳＲＴの吸収器（甲）８ａおよび同（乙）８ｂに対して一体的に結合され、１対の冷房能力０．５ＳＲＴの蒸発器・吸収器ブロック（甲）１６ａおよび同（乙）１６ｂを形成している。これらのブロック機器も、冷房能力０．５ＳＲＴに相当する形状寸法であるから搬入が容易である。
【００２５】
前記１対の低温再生器（甲）２ａおよび同（乙）２ｂについて、臭化リチュウム稀薄水溶液の流入管路ｍ，ｍ′を相互に配管接続し、さらにこれを熱交換器１０の被加熱側流体の管路１０ａから分岐させるように配管接続するとともに、
臭化リチュウム濃厚水溶液流出管路ｎ，ｎ′を相互に配管接続し、さらにこれを熱交換器１０の加熱側流体の流路へ合流させるように配管接続し、かつ、
凝縮した水の流出管路ｐ，ｐ′を相互に配管接続し、さらにこれを蒸発器４ａ，４ｂ（詳細は以下に述べる）へ供給するように配管接続する。
上記の配管接続により、１対の低温再生器・凝縮器ブロック（甲）１５ａと同（乙）１５ｂとが並列に接続されて、冷房能力ＳＲＴに相当する１組の低温再生器・凝縮器ブロックとして機能し、冷房能力ＳＲＴの高温再生器１（既設機器）および熱交換器１０に対して整合される。
そして、前記１対の蒸発器（甲）４ａおよび同（乙）４ｂについて、冷媒である水の流入管路ｑ，ｑ′を相互に配管接続して、これを前記凝縮器（甲）３ａおよび同（乙）３ｂの凝縮水流出管路ｐ，ｐ′に配管接続するとともに、
前記１対の吸収器（甲）８ａおよび同（乙）８ｂについて、臭化リチュウム濃厚水溶液管路ｒ，ｒ′を相互に配管接続して、これを前記熱交換器１０（既設機器）の加熱側流体の流出口に配管接続し、かつ、
臭化リチュウム稀薄水溶液流出管路ｔ，ｔ′を相互に配管接続して、これを熱交換器１０の被加熱側流体管路１０ａの流入口に配管接続する。
上記の配管接続により、１対の蒸発器・吸収器ブロック（甲）１６ａと同（乙）１６ｂとが並列に接続されて、冷房能力ＳＲＴに相当する１組の蒸発器・吸収器ブロックとして機能し、冷房能力ＳＲＴの吸収冷温水機（図１）の構成ブロック機器として整合される。
図１を参照して以上に説明したところは、既設吸収冷温水機の改造・更新の方法であるが、上記の更新構築が行なわれた後に、この吸収冷温水機（図１）について考察すると、建屋は建造後、例えば十数年といった暦日を経過しており、高温再生器１および熱交換器１０は該建屋とほぼ等しい暦日を経過している。そして、低温再生器・凝縮器ブロック（甲），（乙）および蒸発器・吸収器ブロック（甲），（乙）、並びに配管の大部分は、建屋に比して稼働経歴が若い。
【００２６】
以上に説明した実施形態（図１）では、１対の構成機器ブロック（１５ａと１５ｂ、１６ａと１６ｂ）を構成したので、各構成ブロック機器は冷房能力０．５ＳＲＴに相当する小形，軽量のブロック機器になった。
具体的には、冷房能力１５０ＲＴに相当するブロック機器を２組づつ構成し、搬入，設置して、冷房能力３００ＲＴの吸収冷温水機の１基を構築した。
【００２７】
図示を省略するが、上記と異なる実施形態として、複数組のブロック機器を並列に接続したブロック機器群を構成して、該複数組のブロック機器群をして１組の冷房能力ＳＲＴに相当するブロック機器として作用せしめることができる。
この場合、例えば冷房能力４００ＲＴの吸収冷温水機を構築するために、冷房能力１５０ＲＴに相当するブロック機器の２組と、冷房能力１００ＲＴに相当するブロック機器の１組との計３組のブロック機器を並列に配管接続する、というように、冷房能力の合計がＳＲＴに相当する複数組のブロック機器を構成すれば良い（注・この例では、Ｓ＝４００（単位：ＲＴ）である）。
【００２８】
【発明の効果】
以上に本発明の実施形態を挙げてその構成・機能を説明したように、請求項１の発明方法によると、エレベータのケージ内に収納することが困難な大形のブロック機器をそれぞれ２分割したので、１個のブロック機器は０．５ＳＲＴの冷房能力に相当する形状寸法であってエレベータケージに収納することが可能であり、かつ、２分割されたブロック機器を並列に配管接続すると、冷房能力ＳＲＴのブロック機器として機能する。
大形のブロック機器を単に２分割して搬送，設置するというだけであれば、各種の設備機械一般に広く用いられている公知の技術であり、何の機器を何のように分割するかは設計的配慮の域を出ないのであるが、本請求項の発明においては、高度の気密性を要求される密閉循環系の中において、「水の蒸発・凝縮サイクルと、臭化リチュウム水溶液の濃縮・稀釈サイクルとがリンクされた、複合的な吸収冷却サイクル」に、更に低温再生器と熱交換器とによる廃熱利用が図られている臭化リチュウム吸収冷温水機という特殊な条件の下において、相互に連繋して協働する６種類の主要構成機器（高温再生器・低温再生器・凝縮器・蒸発器・吸収器・熱交換器）について、熱力学理論的にではなく実用技術的に考究し、多年の経験と試験研究により蓄積された知見に基づいて、「分割し得べき機器」と「分割すべからざる機器」とに区分したところに、発明としての新規性と進歩性とを有している。
【００２９】
すなわち（図２参照）例えば蒸発器４と吸収器８との関係は、水蒸気が矢印ｆのように流動し得るように連通され、しかも、器内が高真空に保たれるので、これら双方の機器は専門設備の整った製造工場で溶接一体構成しなければ、吸収冷温水機の設置現場で溶接できるものではない。
さらに、蒸発器４内では冷媒（水）のスプレーが行なわれ、吸収器８内では臭化リチュウム稀薄水溶液のスプレーが行なわれているので、双方の機器内で冷媒蒸気を矢印ｆのごとく流動させるについて、ミストの随伴を阻止するための手段（ミストセパレータ・図示省略）が設けられねばならない。これらの部材の設置については相互の位置関係が高精度に規制されなければならないので、本請求項においては「蒸発器４と吸収器８との一体的な結合関係」を崩すことなく、冷房能力が１／２に相当する２組の蒸発器・吸収器ブロックを構成した。
低温再生器２と凝縮器３とについても、上記と同様の不可分関係が有るので、冷房能力が１／２に相当する２組の低温再生器・凝縮器ブロックを構成した。
これにより、完全に整合されて作動する１基の臭化リチュウム吸収冷温水機を、その気密性に不安を招く虞れ無く、エレベータのケージ内に収納できる形状・寸法に、しかも、配管作業によって吸収冷却サイクルの密閉系を構成し得るように分割することができ、既設の建屋の壁や床を破壊することなく設置することを可能ならしめた。
【００３０】
さらに、本請求項１の発明方法によると、２組の「冷房能力０．５ＳＲＴの低温再生器・凝縮器ブロック」が、相互に並列に配管接続されて、１組の「冷房能力ＳＲＴの低温再生器・凝縮器ブロック」として機能せしめられる。
すなわち、吸収器で生成された臭化リチュウム稀薄水溶液が、熱交換器で予熱されて高温再生器に送給される流路の途中から分岐されて、さらに並列に２分されて２組の低温再生器・凝縮器ブロックそれぞれの低温再生器部分に送給されて濃縮されるように流路が形成される。
そして、それぞれの低温再生器で濃縮された臭化リチュウム濃厚水溶液が合流して吸収器へ送給されるように、流路が形成される。
さらに、それぞれの低温再生器・凝縮器ブロックの凝縮器部分で生成された液状の水（冷媒液）が合流して蒸発器に送給されるように、冷媒の循環流路が形成される。
これにより、冷房能力０．５ＳＲＴの２組の低温再生器・凝縮器ブロックが協働せしめられ、冷房能力ＳＲＴの１基の臭化リチュウム吸収冷温水機の構成機器として整合せしめられる。
【００３１】
請求項２の発明方法によると、２組の「冷房能力０．５ＳＲＴの蒸発器・吸収器ブロック」が、相互に並列に配管接続されて、１組の「冷房能力ＳＲＴの蒸発器・吸収器ブロック」として機能せしめられる。
すなわち、高温再生器および低温再生器で濃縮され、熱交換器で臭化リチュウム稀薄水溶液を予熱し終えた臭化リチュウム濃厚水溶液を、それぞれの蒸発器・吸収器ブロックの吸収器部分に分流せしめるように、流路が形成される。
そして、上記それぞれの蒸発器・吸収器ブロックの吸収器部分で生成された臭化リチュウム稀薄水溶液を合流せしめて、熱交換器を介して高温再生器および低温再生器へ送給せしめるように、流路が形成される。
これにより、冷房能力０．５ＳＲＴの２組の蒸発器・吸収器ブロックが協働せしめられ、冷房能力ＳＲＴの１基の臭化リチュウム吸収冷温水機の構成機器として整合せしめられる。
【００３２】
請求項３の発明方法によると、エレベータのケージ内に収納して搬入することが困難な大形ブロック機器から成る吸収冷温水機であっても、これを任意適宜の複数個に分割して設置箇所に搬入することができる。
何個に分割するかの分割個数については施工設計的な配慮の範囲内で任意に設定することができる。しかしながら、本請求項の発明方法においては、低温再生器と凝縮器とが一体に連結されること、および、蒸発器と吸収器とが一体に連結されることを必須の要件とし、複数組の低温再生器・凝縮器ブロックを相互に配管接続するとともに、複数組の蒸発器・吸収器ブロックを相互に配管接続することにより、１基の吸収冷温水機の吸収冷却サイクル循環系の気密性を損ねる虞れ無く、エレベータを使用しての構成機器ブロック搬入を可能ならしめた。
さらに、本請求項３の発明方法においては、２組の「冷房能力０．５ＳＲＴの低温再生器・凝縮器ブロック」が、相互に並列に配管接続されて、１組の「冷房能力ＳＲＴの低温再生器・凝縮器ブロック」として機能せしめられる。
すなわち、吸収器で生成された臭化リチュウム稀薄水溶液が、熱交換器で予熱されて高温再生器に送給される流路の途中から分岐されて、さらに並列に２分されて２組の低温再生器・凝縮器ブロックそれぞれの低温再生器部分に送給されて濃縮されるように流路が形成される。
そして、それぞれの低温再生器で濃縮された臭化リチュウム濃厚水溶液が合流して吸収器へ送給されるように、流路が形成される。
さらに、それぞれの低温再生器・凝縮器ブロックの凝縮器部分で生成された液状の水（冷媒液）が合流して蒸発器に送給されるように、冷媒の循環流路が形成される。
これにより、冷房能力０．５ＳＲＴの２組の低温再生器・凝縮器ブロックが協働せしめられ、冷房能力ＳＲＴの１基の臭化リチュウム吸収冷温水機の構成機器として整合せしめられる。
【００３３】
請求項４の発明方法によると、エレベータに収容し得るブロック機器の最大冷房能力に比して、２倍を超える大容量の吸収冷温水機を建屋内や建屋の屋上に構築することができ、しかも、構築された吸収冷温水機は各構成機器が１基の臭化リチュウム吸収冷温水機として整合されていて、連携作動によって冷暖房機能を発揮する。
本請求項４の発明方法は、建屋に設置すべき吸収冷温水機の冷房能力に比して、エレベータケージの内容積が比較的小さい場合に好適である。
【００３４】
請求項５の発明方法によると、既設建屋内もしくは屋上に設置されていた臭化リチュウム吸収冷温水機を更新する場合、「低温再生器・凝縮器ブロック、および蒸発器・吸収器ブロックに比して損耗の進行の少ない高温再生器本体ケーシング部分」を
再使用するので、設備更新のための機材費が節減される。その上、既設の高温再生器を廃棄しないので、産業廃棄物の減量という社会的要請に沿うことができる。
【００３５】
請求項６の発明によると、冷房能力ＳＲＴの吸収冷温水機の主要な構成ブロック機器が、冷房能力０．５ＳＲＴのブロック機器によって構成されているので、各構成ブロック機器を設置現場へ搬入する際、比較的小容量の搬送機械で足り、特に、エレベータに収容するとき好都合である。
しかも、各構成ブロック機器を配管接続して構成された吸収冷温水機の冷却サイクル密閉系の気密信頼性が高く、かつ、構築された吸収冷温水機を構築している各ブロック機器が、相互に、機能的にも容量的にも良く整合されていて、一基の臭化リチュウム吸収冷温水機として、完全な冷暖房性能を発揮せしめることができる。
さらに、本請求項の発明によると、複数組（２組、すなわち一対を含む）の低温再生器・凝縮器ブロックが相互に配管接続されて、１個の低温再生器・凝縮器ブロックと同様に機能し得る状態となり、当該臭化リチュウム吸収冷温水機全体として、各構成機器類の協働作用が整合される。
【００３６】
請求項７の発明によると、冷房能力ＳＲＴの吸収冷温水機を既設の建屋に設置する際、該既設建屋の出入口および通路、特にエレベータのケージが狭くて、前記冷房能力ＳＲＴの吸収冷温水機を構築するブロック機器を建屋内に搬入することが困難であって、冷房能力が０．５ＳＲＴに相当する吸収冷温水機のブロック機器すら搬入できない場合であっても、冷房能力の合計がＳＲＴに相当する任意複数個のブロック機器によって、冷房能力ＳＲＴの１基の臭化リチュウム吸収冷温水機を構築し得るので、搬入通路やエレベータケージが狭いという制約を回避することができる。
さらに、本請求項の発明によると、複数組（２組、すなわち一対を含む）の低温再生器・凝縮器ブロックが相互に配管接続されて、１個の低温再生器・凝縮器ブロックと同様に機能し得る状態となり、当該臭化リチュウム吸収冷温水機全体として、各構成機器類の協働作用が整合される。
【００３８】
請求項８の発明によると、複数組の蒸発器・吸収器ブロックが相当に配管接続されて、１個の蒸発器・吸収器ブロックと同様に機能せしめられる。
【００３９】
請求項９の発明によると、既設の吸収冷温水機の更新工事によって本発明に係る吸収冷温水機を構築するとき、上記既設の吸収冷温水機の高温再生器が廃却されること無く（要すれば補修を施して）継続使用されるので、更新用機材コストが節減され、かつ、既設高温再生器を廃棄しないので産業廃棄物の減量に貢献することができる。
【図面の簡単な説明】
【図１】本発明を適用して構成した臭化リチュウム吸収冷温水機の１実施形態における配管系統図である。
【図２】臭化リチュウム吸収冷温水機の従来例を示す模式的な配管系統図であって、２個の冷温切換弁が閉塞されて冷房（冷却）作用を果たしている状態を表しており、液状の水（冷媒液）には平行斜線を付し、臭化リチュウム濃厚水溶液にはクロスハッチング（格子縞模様）を付し、臭化リチュウム稀薄水溶液には斑点を付してある。
【符号の説明】
１…高温再生器、１ａ…バーナー、２…低温再生器、２ａ…低温再生器（甲）、２ｂ…低温再生器（乙）、３…凝縮器、３ａ…凝縮器（甲）、３ｂ…凝縮器（乙）、４…蒸発器、４ａ…蒸発器（甲）、４ｂ…蒸発器（乙）、５…冷温水（戻り）、６…冷温水（送給）、７…冷媒ポンプ、８…吸収器、８ａ…吸収器（甲）、８ｂ…吸収器（乙）、９…溶液ポンプ、１０…熱交換器、１０ａ…被加熱側流体管路、１１，１２，１３，１４…伝熱管、１５ａ…低温再生器・凝縮器ブロック（甲）、１５ｂ…低温再生器・凝縮器ブロック（乙）、１６ａ…蒸発器・吸収器ブロック（甲）、１６ｂ…蒸発器・吸収器ブロック（乙）。
【図１】
0003577542.tif 000002
【図２】
0003577542.tif 000003